(57)【要約】【課題】  記録媒体作成システムにおいて、少なくとも或る一部門で、アプリケーションプログラム等を記録した記録媒体の管理コストまたは保管コストを抑制する技術を提供すること。【解決手段】  第１の部門において、所定の電子情報を生成し、第２の部門において、第１の部門で生成された電子情報を記録した記録媒体を作成するための記録媒体作成方法であって、第１の部門に第１のコンピュータを、第２の部門に第２のコンピュータをそれぞれ用意する工程と、管理サーバを用意する工程と、第１のコンピュータが、電子情報およびその電子情報を管理するための管理情報を管理サーバに登録する工程と、第２のコンピュータが、管理サーバから、登録された管理情報に基づいて、登録された電子情報を取得する工程と、第２の部門において、第２のコンピュータにより取得された電子情報を所定の記録媒体に記録し、電子情報を記録した記録媒体を作成する工程とを備える。【選択図】        図２
2006209290.tif 000002
【特許請求の範囲】
【請求項１】
第１の部門において、所定の電子情報を生成し、第２の部門において、前記第１の部門で生成された前記電子情報を記録した記録媒体を作成するための記録媒体作成方法であって、
（ａ）前記第１の部門に第１のコンピュータを、前記第２の部門に第２のコンピュータをそれぞれ用意する工程と、
（ｂ）管理サーバを用意する工程と、
（ｃ）前記第１のコンピュータが、前記電子情報およびその電子情報を管理するための管理情報を前記管理サーバに登録する工程と、
（ｄ）前記第２のコンピュータが、前記管理サーバから、登録された前記管理情報に基づいて、登録された前記電子情報を取得する工程と、
（ｅ）前記第２の部門において、前記第２のコンピュータにより取得された前記電子情報を前記所定の記録媒体に記録し、前記電子情報を記録した前記記録媒体を作成する工程と、
を備えたことを特徴とする記録媒体作成方法。
【請求項２】
請求項１に記載の記録媒体作成方法において、
前記管理情報は、前記電子情報の状態を表わすステータス情報を含み、
（ｆ）第３の部門に、第３のコンピュータを用意する工程と、
（ｇ）前記第３のコンピュータが、前記管理サーバに登録された前記管理情報に基づいて、前記管理サーバから、登録された前記電子情報を取得する工程と、
（ｈ）取得した前記電子情報の状態を検証する工程と、
（ｉ）前記第３のコンピュータが、検証の結果に基づいて、前記管理サーバにおいて前記電子情報に対応する前記管理情報の前記ステータス情報を更新する工程と、
をさらに備えることを特徴とする記録媒体作成方法。
【請求項３】
請求項２に記載の記録媒体作成方法において、
（ｊ）前記第２のコンピュータが、前記管理サーバにおける更新された前記ステータス情報に基づいて、前記ステータス情報が含まれる前記管理情報に対応する前記電子情報を所定の記録媒体に記録することの記録許可を下すかどうかを判定する工程を、さらに備え、
前記第２のコンピュータが、判定の結果、前記記録許可を下した場合に、
前記工程（ｄ）において、
前記第２のコンピュータが、前記管理サーバから、登録された前記管理情報に基づいて、登録された前記電子情報を取得することを可能とし、
前記工程（ｅ）において、
前記第２の部門において、前記第２のコンピュータにより取得された前記電子情報を前記所定の記録媒体に記録し、前記電子情報を記録した前記記録媒体を作成することを可能とすることを特徴とする記録媒体作成方法。
【請求項４】
請求項３に記載の記録媒体作成方法において、
（ｋ）前記工程（ｊ）において、前記第２のコンピュータが、判定の結果、前記記録許可を下さなかった場合には、前記工程（ｄ）において、前記第２のコンピュータに、前記管理サーバに登録された前記電子情報を取得させないようにする工程を備えることを特徴とする記録媒体作成方法。
【請求項５】
請求項２ないし請求項４のいずれかに記載の記録媒体作成方法において、
（ｌ）前記管理サーバに、前記第３のコンピュータが前記ステータス情報を更新する権限があるかどうかを表わす権限情報を登録する工程を備え、
前記工程（ｈ）において、
前記第３のコンピュータは、前記管理サーバに登録された前記権限情報において、前記権限がある場合にのみ、登録された前記ステータス情報を更新することが可能であることを特徴とする記録媒体作成方法。
【請求項６】
請求項１ないし請求項５のいずれかに記載の記録媒体作成方法において、
前記管理情報は、前記電子情報を識別するための識別情報を含み、
（ｍ）前記第１のコンピュータ、前記第２のコンピュータおよび前記第３のコンピュータのいずれかのコンピュータにおいて、前記識別情報を入力する工程と、
（ｎ）前記識別情報が入力された前記コンピュータが、前記管理サーバに登録された前記管理情報の中から入力された前記識別情報に対応する前記管理情報を特定し、見つかった前記管理情報に基づいて、前記電子情報を検索する工程と、
を備えたことを特徴とする記録媒体作成方法。
【請求項７】
請求項６に記載の記録媒体作成方法において、
（ｏ）前記電子情報の検索の結果を表示する工程を備えたことを特徴とする記録媒体作成方法。
【請求項８】
請求項１ないし請求項７のいずれかに記載の記録媒体作成方法において、
（ｐ）前記第３のコンピュータが、前記工程（ｄ）後において、前記管理サーバに登録された前記電子情報と、前記記録媒体に記録された前記電子情報とが一致するかどうかを検証する工程を備えたことを特徴とする記録媒体作成方法。
【請求項９】
請求項１ないし請求項８のいずれかに記載の記録媒体作成方法において、
（ｑ）前記第１のコンピュータが、前記電子情報を記録した前記記録媒体のラベル情報を登録する工程を備え、
（ｒ）前記ラベル情報の登録先を前記管理情報に加味する工程と、
（ｓ）前記工程（ｄ）において、前記第２のコンピュータが、前記管理サーバから、前記管理サーバに登録された前記管理情報に基づいて、登録された前記電子情報と共に前記ラベル情報を取得する工程と、
（ｔ）前記（ｅ）において、前記第２の部門において、前記第２のコンピュータにより取得された前記電子情報を前記所定の記録媒体に記録し、前記電子情報を記録した前記記録媒体を作成すると共に、作成した前記記録媒体に前記第２のコンピュータにより取得された前記ラベル情報を付与する工程と、
を備えたことを特徴とする記録媒体作成方法。
【請求項１０】
請求項１ないし請求項９のいずれかに記載の記録媒体作成方法において、
前記電子情報は、アプリケーションプログラムであることを特徴とする記録媒体作成方法。
【請求項１１】
請求項１ないし請求項１０のいずれかに記載の記録媒体作成方法において、
前記記録媒体は、磁気メモリ、オプティカルメモリおよび半導体メモリのいずれかであることを特徴とする記録媒体作成方法。
【請求項１２】
第１の部門において、所定の電子情報を生成し、第２の部門において、前記第１の部門で生成された前記電子情報を記録した記録媒体を作成するための記録媒体作成システムであって、
前記第１の部門に設置される第１のコンピュータと、
前記第２の部門に設置される第１のコンピュータの記録媒体に記録する電子情報記録装置と、
管理サーバと、を備え、
前記第１のコンピュータは、前記電子情報およびその電子情報を管理するための管理情報を前記管理サーバに登録し、
前記第２のコンピュータは、前記管理サーバから、前記管理サーバに登録された前記管理情報に基づいて、登録された前記電子情報を取得し、
前記記録媒体作成システムは、
前記第２の部門において、前記第２のコンピュータにより取得された前記電子情報を前記所定の記録媒体に記録し、前記電子情報を記録した前記記録媒体を作成することを特徴とする記録媒体作成システム。
【請求項１３】
請求項１２に記載の記録媒体作成システムにおいて、
前記管理情報は、前記電子情報の状態を表わすステータス情報を含み、
第３の部門に、第３のコンピュータを備え、
前記第３のコンピュータは、前記管理サーバに登録された前記管理情報に基づいて、前記管理サーバから、登録された前記電子情報を取得し、
ユーザにより、前記第３のコンピュータにより取得された前記電子情報の状態が検証され、その検証の結果が前記第３のコンピュータに入力された場合に、
前記第３のコンピュータは、検証の結果に基づいて、前記管理サーバにおいて前記電子情報に対応する前記管理情報の前記ステータス情報を更新することを特徴とする記録媒体作成システム。
【請求項１４】
請求項１３に記載の記録媒体作成システムにおいて、
前記第２のコンピュータは、前記管理サーバにおける更新された前記ステータス情報に基づいて、前記ステータス情報が含まれる前記管理情報に対応する前記電子情報を所定の記録媒体に記録することの記録許可を下すかどうかを判定し、
前記第２のコンピュータが、判定の結果、前記記録許可を下した場合に、
前記第２のコンピュータが、前記管理サーバから、登録された前記管理情報に基づいて、登録された前記電子情報を取得することを可能とし、
前記第２の部門において、前記第２のコンピュータにより取得された前記電子情報を前記所定の記録媒体に記録し、前記電子情報を記録した前記記録媒体を作成することを可能とすることを特徴とする記録媒体作成システム。
【請求項１５】
請求項１４に記載の記録媒体作成システムにおいて、
前記第２のコンピュータが、判定の結果、前記記録許可を下さなかった場合には、前記第２のコンピュータに、前記管理サーバに登録された前記電子情報を取得させないようにすることを特徴とする記録媒体作成システム。
【請求項１６】
請求項１３ないし請求項１５のいずれかに記載の媒体作成システムにおいて、
少なくとも、前記管理サーバと、前記第１のコンピュータまたは前記第２のコンピュータまたは前記第３のコンピュータとは、ネットワークを介して接続されていることを特徴とする記録媒体作成システム。
【発明の詳細な説明】
【技術分野】
【０００１】
本発明は、記録媒体作成方法および記録媒体作成システムに関する。ここで、記録媒体作成とは、所定の記録媒体に、アプリケーションプログラム等の電子情報を記録し、電子情報を記録した記録媒体を作成することである。
【背景技術】
【０００２】
従来、所定のアプリケーションプログラムを開発し、それをフレキシブルディスクやＣＤなどの所定の記録媒体に記録することにより、開発したアプリケーションプログラムが記録された記録媒体を作成し、出荷する記録媒体作成システムが知られている。このような記録媒体作成システムでは、例えば、アプリケーションプログラムを開発する部門や、開発したアプリケーションプログラムの品質をチェックする部門や、アプリケーションプログラムを記録した記録媒体を作成し出荷する部門などがある。このように、記録媒体作成システムでは、所定のアプリケーションプログラムを記録した記録媒体が出荷されるまでには、複数の部門を経る。
なお、このような記録媒体作成システムに関連する技術として、下記特許文献１に記載される所定のアプリケーションプログラムを管理する技術が公開されている。
【０００３】
【特許文献１】特開２００２−６３２３６号公報
【発明の開示】
【発明が解決しようとする課題】
【０００４】
ところで、上述した記録媒体作成システムにおいて、各部門のそれぞれで所定の処理（例えば、デバグ作業、品質の検証作業および出荷作業など。）を行うために、開発されたアプリケーションプログラムを記録した記録媒体を作成し、各部門へ配布していた。このため、各部門では、配布された記録媒体を管理し保管する必要があり、管理や保管のためのコストが増大するという問題があった。さらに、配布された記録媒体の保管のためのスペースも確保しなければならないという問題があった。
【０００５】
なお、上述の記録媒体作成システムでは、アプリケーションプログラムを記録媒体に記録するようにしているが、アプリケーションプログラムの他、所定の文字情報（文書情報）や所定のキャラクタなどを表わしたデザイン情報を記録媒体に記録するようにしてもよい。この場合においても、上記問題は生じる。
【０００６】
本発明は、上記課題に鑑みてなされたもので、記録媒体作成システムにおいて、少なくとも或る一部門で、アプリケーションプログラム等を記録した記録媒体の管理コストまたは保管コストを抑制する技術を提供することを目的とする。
【課題を解決するための手段】
【０００７】
上記目的の少なくとも一部を達成するために、本発明の記録媒体作成方法では、
第１の部門において、所定の電子情報を生成し、第２の部門において、前記第１の部門で生成された前記電子情報を記録した記録媒体を作成するための記録媒体作成方法であって、
（ａ）前記第１の部門に第１のコンピュータを、前記第２の部門に第２のコンピュータをそれぞれ用意する工程と、
（ｂ）管理サーバを用意する工程と、
（ｃ）前記第１のコンピュータが、前記電子情報およびその電子情報を管理するための管理情報を前記管理サーバに登録する工程と、
（ｄ）前記第２のコンピュータが、前記管理サーバから、登録された前記管理情報に基づいて、登録された前記電子情報を取得する工程と、
（ｅ）前記第２の部門において、前記第２のコンピュータにより取得された前記電子情報を前記所定の記録媒体に記録し、前記電子情報を記録した前記記録媒体を作成する工程と、
を備えたことを要旨とする。
【０００８】
上記構成の記録媒体作成方法によれば、第２の部門において、ユーザが所望する時に管理サーバから電子情報を取得して、取得した電子情報に基づいて記録した記録媒体を作成することができるので、電子情報を記録した記録媒体を管理・保管する必要がなく、それに伴う管理または保管のためのコストを抑制することができる。
【０００９】
上記記録媒体作成方法において、
前記管理情報は、前記電子情報の状態を表わすステータス情報を含み、
（ｆ）第３の部門に、第３のコンピュータを用意する工程と、
（ｇ）前記第３のコンピュータが、前記管理サーバに登録された前記管理情報に基づいて、前記管理サーバから、登録された前記電子情報を取得する工程と、
（ｈ）取得した前記電子情報の状態を検証する工程と、
（ｉ）前記第３のコンピュータが、検証の結果に基づいて、前記管理サーバにおいて前記電子情報に対応する前記管理情報の前記ステータス情報を更新する工程と、
をさらに備えるようにしてもよい。
【００１０】
このようにすれば、ステータス情報から電子情報の状態を把握することができる。
【００１１】
上記記録媒体作成方法において、
（ｊ）前記第２のコンピュータが、前記管理サーバにおける更新された前記ステータス情報に基づいて、前記ステータス情報が含まれる前記管理情報に対応する前記電子情報を所定の記録媒体に記録することの記録許可を下すかどうかを判定する工程を、さらに備え、
前記第２のコンピュータが、判定の結果、前記記録許可を下した場合に、
前記工程（ｄ）において、
前記第２のコンピュータが、前記管理サーバから、登録された前記管理情報に基づいて、登録された前記電子情報を取得することを可能とし、
前記工程（ｅ）において、
前記第２の部門において、前記第２のコンピュータにより取得された前記電子情報を前記所定の記録媒体に記録し、前記電子情報を記録した前記記録媒体を作成することを可能とするようにしてもよい。
【００１２】
このようにすれば、電子情報の状態に基づいて、記録許可が下される。そして、記録許可が下された場合にのみ、電子情報を所定の記録媒体に記録し、記録媒体を作成する。従って、誤った記録媒体を作成することを抑制することができる。
【００１３】
上記記録媒体作成方法において、
（ｋ）前記工程（ｊ）において、前記第２のコンピュータが、判定の結果、前記記録許可を下さなかった場合には、前記工程（ｄ）において、前記第２のコンピュータに、前記管理サーバに登録された前記電子情報を取得させないようにする工程を備えるようにしてもよい。
【００１４】
このようにすれば、電子情報の状態に基づいて、記録許可が下されない場合には、電子情報を所定の記録媒体に記録し、記録媒体を作成することがないので、誤った記録媒体を作成することを抑制することができる。
【００１５】
上記記録媒体作成方法において、
（ｌ）前記管理サーバに、前記第３のコンピュータが前記ステータス情報を更新する権限があるかどうかを表わす権限情報を登録する工程を備え、
前記工程（ｈ）において、
前記第３のコンピュータは、前記管理サーバに登録された前記権限情報において、前記権限がある場合にのみ、登録された前記ステータス情報を更新することができるようにしてもよい。
【００１６】
このようにすれば、第３のコンピュータは、権限がある場合にのみステータス情報を更新するので、上記工程（ｊ）において、記録許可を下すかどうかを判定する場合に、更新された適切なステータス情報に基づいて、判定することができる。
【００１７】
上記記録媒体作成方法において、
前記管理情報は、前記電子情報を識別するための識別情報を含み、
（ｍ）前記第１のコンピュータ、前記第２のコンピュータおよび前記第３のコンピュータのいずれかのコンピュータにおいて、前記識別情報を入力する工程と、
（ｎ）前記識別情報が入力された前記コンピュータが、前記管理サーバに登録された前記管理情報の中から入力された前記識別情報に対応する前記管理情報を特定し、見つかった前記管理情報に基づいて、前記電子情報を検索する工程と、
を備えるようにしてもよい。
【００１８】
このようにすれば、電子情報を素早く検索することができる。
【００１９】
上記記録媒体作成方法において、
（ｏ）前記電子情報の検索の結果を表示する工程を備えるようにしてもよい。
【００２０】
このようにすれば、検索結果をユーザに知らせることができる。
【００２１】
上記記録媒体作成方法において、
（ｐ）前記第３のコンピュータが、前記工程（ｄ）後において、前記管理サーバに登録された前記電子情報と、前記記録媒体に記録された前記電子情報とが一致するかどうかを検証する工程を備えるようにしてもよい。
【００２２】
このようにすれば、記録媒体に記録された電子情報が適切かどうかを確認することができる。
【００２３】
上記記録媒体作成方法において、
（ｑ）前記第１のコンピュータが、前記電子情報を記録した前記記録媒体のラベル情報を登録する工程を備え、
（ｒ）前記ラベル情報の登録先を前記管理情報に加味する工程と、
（ｓ）前記工程（ｄ）において、前記第２のコンピュータが、前記管理サーバから、前記管理サーバに登録された前記管理情報に基づいて、登録された前記電子情報と共に前記ラベル情報を取得する工程と、
（ｔ）前記（ｅ）において、前記第２の部門において、前記第２のコンピュータにより取得された前記電子情報を前記所定の記録媒体に記録し、前記電子情報を記録した前記記録媒体を作成すると共に、作成した前記記録媒体に前記第２のコンピュータにより取得された前記ラベル情報を付与する工程と、
を備えるようにしてもよい。
【００２４】
このようにすれば、上述の電子情報を記録した記録媒体に、ラベル情報を付与することができる。
【００２５】
上記記録媒体作成方法において、
前記電子情報は、アプリケーションプログラムであってもよし、前記記録媒体は、磁気メモリ、オプティカルメモリおよび半導体メモリのいずれかであってもよい。
【００２６】
上記目的の少なくとも一部を達成するために、本発明の記録媒体作成システムでは、
第１の部門において、所定の電子情報を生成し、第２の部門において、前記第１の部門で生成された前記電子情報を記録した記録媒体を作成するための記録媒体作成システムであって、
前記第１の部門に設置される第１のコンピュータと、
前記第２の部門に設置される第１のコンピュータの記録媒体に記録する電子情報記録装置と、
管理サーバと、を備え、
前記第１のコンピュータは、前記電子情報およびその電子情報を管理するための管理情報を前記管理サーバに登録し、
前記第２のコンピュータは、前記管理サーバから、前記管理サーバに登録された前記管理情報に基づいて、登録された前記電子情報を取得し、
前記記録媒体作成システムは、
前記第２の部門において、前記第２のコンピュータにより取得された前記電子情報を前記所定の記録媒体に記録し、前記電子情報を記録した前記記録媒体を作成することを要旨とする。
【００２７】
上記構成の記録媒体作成システムによれば、第２の部門において、ユーザが所望する時に管理サーバから電子情報を取得して、取得した電子情報に基づいて記録した記録媒体を作成することができるので、電子情報を記録した記録媒体を管理・保管する必要がなく、それに伴う管理または保管のためのコストを抑制することができる。
【００２８】
上記構成の記録媒体作成システムにおいて、
前記管理情報は、前記電子情報の状態を表わすステータス情報を含み、
第３の部門に、第３のコンピュータを備え、
前記第３のコンピュータは、前記管理サーバに登録された前記管理情報に基づいて、前記管理サーバから、登録された前記電子情報を取得し、
ユーザにより、前記第３のコンピュータにより取得された前記電子情報の状態が検証され、その検証の結果が前記第３のコンピュータに入力された場合に、
前記第３のコンピュータは、検証の結果に基づいて、前記管理サーバにおいて前記電子情報に対応する前記管理情報の前記ステータス情報を更新するようにしてもよい。
【００２９】
このようにすれば、ステータス情報から電子情報の状態を把握することができる。
【００３０】
上記構成の記録媒体作成システムにおいて、
前記第２のコンピュータは、前記管理サーバにおける更新された前記ステータス情報に基づいて、前記ステータス情報が含まれる前記管理情報に対応する前記電子情報を所定の記録媒体に記録することの記録許可を下すかどうかを判定し、
前記第２のコンピュータが、判定の結果、前記記録許可を下した場合に、
前記第２のコンピュータが、前記管理サーバから、登録された前記管理情報に基づいて、登録された前記電子情報を取得することを可能とし、
前記第２の部門において、前記第２のコンピュータにより取得された前記電子情報を前記所定の記録媒体に記録し、前記電子情報を記録した前記記録媒体を作成することを可能としてもよい。
【００３１】
このようにすれば、電子情報の状態に基づいて、記録許可が下される。そして、記録許可が下された場合にのみ、電子情報を所定の記録媒体に記録し、記録媒体を作成する。従って、誤った記録媒体を作成することを抑制することができる。
【００３２】
上記構成の記録媒体作成システムにおいて、
前記第２のコンピュータが、判定の結果、前記記録許可を下さなかった場合には、前記第２のコンピュータに、前記管理サーバに登録された前記電子情報を取得させないようにしてもよい。
【００３３】
このようにすれば、電子情報の状態に基づいて、記録許可が下されない場合には、電子情報を所定の記録媒体に記録し、記録媒体を作成することがないので、誤った記録媒体を作成することを抑制することができる。
【００３４】
上記構成の記録媒体作成システムにおいて、
少なくとも、前記管理サーバと、前記第１のコンピュータまたは前記第２のコンピュータまたは前記第３のコンピュータとは、ネットワークを介して接続されているようにしてもよい。
【００３５】
このようにすれば、管理サーバと、第１のコンピュータまたは第２のコンピュータまたは第３のコンピュータが離れた場所にあっても、種々のデータのやり取りを行うことができる。
【００３６】
なお、本発明は、上記した方法発明や装置発明としての態様に限ることなく、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００３７】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００３８】
以下、本発明の実施の形態について、実施例に基づき次の順序で説明する。
Ａ．実施例：
Ａ１．システム概要：
Ａ２．記録媒体作成処理：
Ａ２１．情報登録処理：
Ａ２２．管理情報テーブル作成処理：
Ａ２３．アプリケーション評価処理：
Ａ２４．アプリケーション記録処理：
Ａ２５．コンペア処理：
Ｂ．変形例：
【００３９】
Ａ１．システム概要：
図１は、本発明の本実施例における記録媒体作成システム１０００の概略構成図である。
この記録媒体作成システム１０００は、ユーザからの指示に基づいて、所定のアプリケーションを所定の記録媒体に記録し、アプリケーションを記録した記録媒体を作成するためのシステムである。なお、アプリケーションを記録する記録媒体としては、ＣＤ−Ｒ（ＣＤ−ＲＷ）、ＤＶＤ−Ｒ（ＤＶＤ−ＲＷ）、およびＭＯなどのオプティカルデバイス（オプティカルメモリ）や、フレキシブルディスク（以下では、ＦＤと呼ぶ。）などの磁気デバイス（磁気メモリ）や、メモリースティック（ソニー社の商標）、コンパクトフラッシュ（米国SanDisk社の登録商標）などの半導体メモリなどがある。以下では、アプリケーションを記録する記録媒体としてＦＤを用いることとする。
【００４０】
この記録媒体作成システム１０００は、設計部門、ＱＡ部門および作業部門に設置された複数のパーソナルコンピュータ（ＰＣ）（以下では、クライアントＣＬと呼ぶ。）と、管理サーバＭＳＶとがそれぞれローカルエリアネットワークＬＡＮを介して接続されている。図１には、クライアントＣＬのうち、設計部門に設置されたＰＣの一つであるクライアントＣＬ１と、ＱＡ部門に設置されたＰＣの一つであるクライアントＣＬ２と、作業部門に設置されたＰＣの一つであるクライアントＣＬ３とが示されている。なお、設計部門は、所定のアプリケーションプログラム（以下では、単にアプリケーションと呼ぶ。）の開発等を行う部門である。ＱＡ部門は、設計部門が開発したアプリケーションの品質の検証等を行う部門である。作業部門は、ＱＡ部門により品質の検証が行われたアプリケーションを記録媒体としてのＦＤに記録し、そのチェックを行い、それを出荷する部門である。
【００４１】
クライアントＣＬ１は、一般的なコンピュータとしての構成を備え、特には、ＣＰＵ１００と、メモリ１７０（図示せず）と、メモリ１８０と、所定のアプリケーションプログラムが記憶されたＲＯＭ１９０（図示せず）と、表示ディスプレイ１３０とを備える。
【００４２】
メモリ１８０は、設計部門のユーザが開発後のアプリケーションを格納するアプリケーション格納部１８５と、そのアプリケーションをＦＤに記録する際に、ＦＤに記載するラベルの情報（以下では、ラベル情報と呼ぶ。）を格納するラベル情報格納部１８７とを備える。なお、ユーザは、アプリケーション及びラベル情報を各格納部１８５，１８７に格納する際には、格納場所（格納パス）を指定して保存する。また、このラベル情報には、文字、キャラクタ及びマーク等に関する情報（以下では、ラベルデータと呼ぶ。）と、そのラベルデータのレイアウトに関する情報（以下では、ラベルフォームと呼ぶ。）とが含まれる。このラベル情報は、設計部門において、アプリケーションと共に、開発されるものとする。
【００４３】
ＣＰＵ１００は、ＲＯＭ１９０から所定のアプリケーションプログラムをメモリ１７０に読み出し、実行することで、情報処理部１１０と、画像処理部１２０として機能する。
【００４４】
情報処理部１１０は、後述する記録媒体作成処理において情報登録処理を実行する。
画像処理部１２０は、後述する情報処理画面Ｗを作成し、表示ディスプレイ１３０に表示させる。
【００４５】
クライアントＣＬ２は、一般的なコンピュータとしての構成を備え、特には、ＣＰＵ２００と、メモリ２７０（図示せず）と、メモリ２８０と、所定のアプリケーションプログラムが記憶されたＲＯＭ２９０（図示せず）と、表示ディスプレイ２３０とを備える。
【００４６】
メモリ２８０は、管理サーバＭＳＶからダウンロードしたアプリケーションを格納するアプリケーション格納部２８５と、そのアプリケーションに対応するラベル情報を格納するラベル情報格納部２８７とを備える。
【００４７】
ＣＰＵ２００は、ＲＯＭ２９０から所定のアプリケーションプログラムをメモリ２７０に読み出し、実行することで、情報処理部２１０と、画像処理部２２０と、媒体記録部２３０として機能する。
【００４８】
情報処理部２１０は、後述する記録媒体作成処理においてアプリケーション評価処理を実行する。
【００４９】
画像処理部２２０は、後述する情報処理画面Ｗを作成し、表示ディスプレイ２３０に表示させる。
【００５０】
クライアントＣＬ３は、一般的なコンピュータとしての構成を備え、特には、ＣＰＵ３００と、メモリ３７０（図示せず）と、メモリ３８０と、所定のアプリケーションプログラムが記憶されたＲＯＭ３９０（図示せず）と、表示ディスプレイ３３０と、フレキシブルディスクドライブ３６５（以下では、ＦＤドライブ３６５とも呼ぶ。）とを備える。また、クライアントＣＬ３は、ＦＤ装置３６０と所定のインターフェイスを介して接続されている。このインターフェイスとしては、例えば、ＵＳＢ（Universal Serial Bus）などがある。
【００５１】
ＦＤドライブ３６５は、ＦＤから所定の情報を読み込んだり、書き込んだりすることができるドライブである。このＦＤドライブ３６５は、後述のコンペア処理で使用される。
【００５２】
メモリ３８０は、管理サーバＭＳＶからダウンロードしたアプリケーションを格納するアプリケーション格納部３８５と、そのアプリケーションに対応するラベル情報を格納するラベル情報格納部３８７とを備える。
【００５３】
ＣＰＵ３００は、ＲＯＭ３９０から所定のアプリケーションプログラムをメモリ３７０に読み出し、実行することで、情報処理部３１０と、画像処理部３２０と、媒体記録部３４０として機能する。
【００５４】
情報処理部３１０は、後述する記録媒体作成処理においてアプリケーション記録処理を実行する。
画像処理部３２０は、後述する情報処理画面Ｗを作成し、表示ディスプレイ３３０に表示させる。
【００５５】
媒体記録部３４０は、後述するアプリケーション記録処理において、ＦＤ装置３６０を制御し、ＦＤにアプリケーションを記録させたり、ＦＤの外面にラベル情報に基づくラベルを印字（記載）させる。
【００５６】
ＦＤ装置３６０は、ＦＤが挿入されるＦＤ挿入口３６１を備える。ＦＤ装置３６０は、媒体記録部３４０の指示に基づき、アプリケーション格納部３８５に格納されたアプリケーションを、ユーザによりＦＤ挿入口３６１を介して挿入されたＦＤに記録する。また、ＦＤ装置３６０は、媒体記録部３４０の指示に基づき、ラベル情報格納部３８７に格納されたラベル情報に基づくラベルをＦＤの外面に印字する。
【００５７】
管理サーバＭＳＶは、一般的なコンピュータとしての構成を備え、特には、ＣＰＵ５００と、メモリ５５０（図示せず）と、メモリ６００と、所定のアプリケーションプログラムが記憶されたＲＯＭ５９０（図示せず）とを備えている。
【００５８】
メモリ６００は、アプリケーション格納部６１０と、ラベル情報格納部６２０と、管理情報テーブル格納部６３０とを備えている。
【００５９】
アプリケーション格納部６１０は、後述の記録媒体作成処理の情報登録処理において、クライアントＣＬ１からアップロードされてくるアプリケーションを格納する。
【００６０】
ラベル情報格納部６２０は、後述の記録媒体作成処理において、クライアントＣＬ１からアップロードされてくるラベル情報を格納する。
管理情報テーブル格納部６３０は、後述する管理情報テーブルを格納する。
【００６１】
ＣＰＵ３００は、ＲＯＭ５９０から所定のアプリケーションプログラムをメモリ５５０に読み出し、実行することで、管理情報処理部５１０として機能する。
【００６２】
管理情報処理部５１０は、クライアントＣＬ１からアップロードされてくるアプリケーションおよびラベル情報を取得し、それをそれぞれアプリケーション格納部６１０、ラベル情報格納部６２０に格納したり、後述の記録媒体作成処理の管理情報テーブル作成処理において管理情報テーブルの作成および更新を行ったり、各クライアントＣＬからの要求に基づいて、要求のあったクライアントＣＬにアプリケーション格納部６１０に格納されたアプリケーションのダウンロードを実行する。
【００６３】
なお、クライアントＣＬ１，ＣＬ２，ＣＬ３および管理サーバＭＳＶは、上述した機能の他に、コンピュータとしての他の機能も備えているが、本実施例では、省略する。
【００６４】
Ａ２．記録媒体作成処理：
ところで、設計部門のユーザは、所定のアプリケーションを開発すると、そのアプリケーションを、管理サーバＭＳＶに登録する。そして、ＱＡ部門のユーザは、登録されたアプリケーションの品質の検証を行う。その後、作業部門のユーザは、品質の検証の結果、出荷が認められれば、アプリケーションをＦＤに記録し、チェックして、出荷する。本実施例の記録媒体作成システム１０００は、この過程において、図２に示す記録媒体作成処理を行う。以下では、この記録媒体作成処理において、設計部門のユーザが開発した或るアプリケーションＸの出荷までの流れを具体的に説明することとする。
【００６５】
図２は、本実施例における記録媒体作成システム１０００が行う記録媒体作成処理を示すフローチャートである。
図３は、本実施例における情報処理画面Ｗの初期画面を示す図である。
各部門のユーザは、図３に示す情報処理画面Ｗを介して、記録媒体を作成するために種々の指示を行う。この情報処理画面Ｗは、メニューを表わすメニュー領域Ｗａと、入力画面を表わす情報入力領域Ｗｂとに区分される。メニュー領域Ｗａには、後述する情報登録処理に移行するための情報登録ボタン７００と、後述する検索処理に移行するための検索ボタン８００と、後述するアプリケーション評価処理に移行するためのアプリ評価ボタン９００と、後述するアプリケーション記録処理に移行するためのアプリ記録ボタン９３０と、後述するコンペア処理に移行するためのコンペアボタン９５０とが備えられる。これらのボタンを総称して、処理移行ボタンとも呼ぶ。情報入力領域Ｗｂは、記録媒体作成処理中において、メニュー領域Ｗａの所定のボタンが押されると、各ボタンに対応した入力画面を表示する。この情報処理画面Ｗは、各クライアントＣＬの表示ディスプレイに表示される。なお、図３に示す情報処理画面Ｗは、初期画面であり、情報入力領域Ｗｂには何も表示されていない。
【００６６】
一方、記録媒体作成処理（図２）において、設計部門のクライアントＣＬ１は、情報登録処理（ステップＳ１００）として、ユーザからの指示に基づき、開発されたアプリケーションＸを管理サーバＭＳＶにアップロードし、管理サーバＭＳＶは、それを保存する。この際、管理サーバＭＳＶは、管理情報テーブル作成処理（ステップＳ２００）として、所定の管理情報を表わす管理情報テーブルを作成する。そして、ＱＡ部門のクライアントＣＬ２は、アプリケーション評価処理（ステップＳ３００）として、ユーザからの指示に基づき、管理サーバＭＳＶから、アプリケーションＸをダウンロードし、その品質の検証を行い、さらには、出荷できる状態かどうか等の評価を管理サーバＭＳＶの管理情報テーブルに反映させる。その後、作業部門のクライアントＣＬ３は、記録媒体作成処理（ステップＳ５００）として、ユーザからの指示に基づき、管理サーバＭＳＶから、アプリケーションをダウンロードし、それをＦＤに記録する。また、クライアントＣＬ３は、コンペア処理（ステップＳ７００）として、ユーザの指示に基づき、記録媒体のチェックを行う。
【００６７】
Ａ２１．情報登録処理：
それでは、記録媒体作成処理について具体的に説明する。この記録媒体作成処理において、図２に示すように、まず、クライアントＣＬ１（設計部門）は、情報登録処理を行う（ステップＳ１００）。
【００６８】
この情報登録処理の前提として、設計部門のユーザは、開発したアプリケーションＸとそのアプリケーションＸに対応するラベル情報をそれぞれアプリケーション格納部１８５、ラベル情報格納部１８７に格納していることとする。
【００６９】
図４は、本実施例におけるクライアントＣＬ１が行う情報登録処理を表わすフローチャートである。
この情報登録処理において、図４に示すように、まず、クライアントＣＬ１の画像処理部１２０は、図３に示す情報処理画面Ｗの初期画面を表示ディスプレイ１３０に表示させる（ステップＳ１１０）。
【００７０】
図５は、本実施例におけるクライアントＣＬ１が情報登録処理を行う際の情報登録画面Ｗ１を表わす図である。
そして、ユーザによって、情報登録ボタン７００が押されると（ステップＳ１２０：ＹＥＳ）、画像処理部１２０は、図５に示すように、情報処理画面Ｗの情報入力領域Ｗｂに情報登録のための入力画面を表示させる（ステップＳ１３０）。なお、以下では、このように情報入力領域Ｗｂに情報登録のための入力画面を表示させた情報処理画面Ｗを、特に、情報登録画面Ｗ１と呼ぶ。
【００７１】
続いて、情報処理部１１０は、ユーザによりアプリケーションＸを記録するための記録媒体の種別（以下、記録媒体種別と呼ぶ。）が選択されたかどうかを判断する（ステップＳ１４０）。具体的には、情報処理部１１０は、ユーザが、記録媒体種別プルダウン７４０から記録媒体種別を選択しているかどうかを判断する。なお、図５に示すように、本実施例では、記録媒体種別としてＦＤが選択されている。
【００７２】
情報処理部１１０は、記録媒体種別プルダウン７４０にユーザによりアプリケーションＸを記録するための記録媒体種別が選択されている場合には（ステップＳ１４０：ＹＥＳ）、続いて、ユーザによりアプリケーションＸの格納パスが指定されたかどうかを判断する（ステップＳ１５０）。具体的には、情報処理部１１０は、ユーザが、参照ボタン７１１を押して、アプリケーション格納部１８５に格納されたアプリケーションＸを探索し、見つかった場所を格納パスとして指定されたかどうかを判断する。ユーザが指定アプリケーションＸの格納パスは、格納パス表示領域７１０に表示される。
【００７３】
なお、情報処理部１１０は、ユーザがアプリケーション格納部１８５を探索し、アプリケーションＸを指定した場合には、上述のステップＳ１４０の処理で指定された記録媒体種別（本実施例では、ＦＤ）の１枚当りの最大容量を勘案し、指定された記録媒体種別に収まるようにアプリケーションＸを複数に分割する。この際、画像処理部１２０は、分割されたアプリケーションＸ（以下では、分割アプリケーションＸと呼ぶ。）のそれぞれに、アプリケーションＸのバージョン名と通し番号との組み合わせである分割アプリケーション名を設定する。そして、画像処理部１２０は、図５に示すように、アプリケーション表示領域７８０に、分割アプリケーション名をそれぞれ表示する。図５のアプリケーション表示領域７８０には、７つに分割されたアプリケーションＸの分割アプリケーション名が示されている。分割アプリケーション名に対応する分割アプリケーションＸは、それぞれ１つのＦＤに記録されることになる。
【００７４】
情報処理部１１０は、ユーザによりアプリケーションＸの格納パスが指定されている場合には（ステップＳ１５０：ＹＥＳ）、ユーザによりアプリケーションＸに対応するラベルデータの格納パスが指定されたかどうかを判断する（ステップＳ１６０）。具体的には、情報処理部１１０は、ユーザが、図５の参照ボタン７２１を押して、ラベル情報格納部１８７に格納されたアプリケーションＸに対応するラベルデータを探索し、見つかった場所を格納パスとして指定されたかどうかを判断する。ユーザが指定したラベルデータの格納パスは、格納パス表示領域７２０に表示される。
【００７５】
情報処理部１１０は、ユーザによりアプリケーションＸに対応するラベルデータの格納パスが指定されている場合には（ステップＳ１６０：ＹＥＳ）、さらに、ユーザによりアプリケーションＸに対応するラベルフォームの格納パスが指定されたかどうかを判断する（ステップＳ１７０）。具体的には、情報処理部１１０は、ユーザが、参照ボタン７３１を押して、ラベル情報格納部１８７に格納されたアプリケーションＸに対応するラベルフォームを探索し、見つかった場所を格納パスとして指定されたかどうかを判断する。ユーザが指定したラベルフォームの格納パスは、格納パス表示領域７３０に表示される。
【００７６】
情報処理部１１０は、ユーザによりアプリケーションＸに対応するラベルフォームの格納パスが指定されている場合には（ステップＳ１７０：ＹＥＳ）、続いて、アプリケーションＸが対応する機種名、アプリケーションＸの型式名、アプリケーションＸのバージョン名が指定されたかどうかを判断する（ステップＳ１７５）。具体的には、情報処理部１１０は、ユーザが、図５に示すように、機種名表示領域７９５、型式名表示領域７７５、および、バージョン名表示領域７９０に、それぞれ、機種名、型式名、および、バージョン名を記入したかどうかを判断する。なお、ユーザが、この機種名、型式名、および、バージョン名を指定する場合に、プルダウン方式でこれらを選択できるようにしてもよい。
【００７７】
情報処理部１１０は、機種名、型式名、および、バージョン名が指定されている場合には（ステップＳ１７５：ＹＥＳ）、続いて、ユーザにより登録ボタン７６０が押されたかどうかを判断する（ステップＳ１８０）。
【００７８】
情報処理部１１０は、ユーザにより登録ボタン７６０が押された場合には（ステップＳ１８０：ＹＥＳ）、ステップＳ１４０の処理で指定された記録媒体種別を表わす記録媒体種別情報と、ステップＳ１５０の処理で指定された格納パスにあるアプリケーションＸと、ステップＳ１６０の処理で指定された格納パスにあるラベルデータと、ステップＳ１７０の処理で指定された格納パスにあるラベルフォームと、ステップＳ１７５の処理で指定された機種名、型式名およびバージョン名とをそれぞれ取得し、管理サーバＭＳＶにアップロードする（ステップＳ１９０）。なおこの場合において、情報処理部１１０は、アプリケーションＸは、分割アプリケーションＸごとにアップロードする。
【００７９】
一方、管理サーバＭＳＶの管理情報処理部５１０は、クライアントＣＬ１からアップロードされてくるアプリケーションＸ、ラベルデータ、および、ラベルフォームを取得し、アプリケーションＸをアプリケーション格納部６１０に、ラベルデータおよびラベルフォームをラベル情報としてラベル情報格納部６２０に、それぞれ格納場所（格納パス）を指定して格納する。なお、アプリケーションＸは、分割アプリケーションＸごとにアップロードされてくるので、管理情報処理部５１０は、各分割アプリケーションＸを対応づけてアプリケーション格納部６１０に格納する。また、管理情報処理部５１０は、アップロードされてくる記録媒体種別情報、機種名、型式名、および、バージョン名を取得する。
情報処理部１１０は、アップロード終了後、この情報登録処理を終了する。
【００８０】
なお、上述の処理において、情報処理部１１０は、ユーザにより情報登録ボタン７００が押されていない場合（ステップＳ１２０：ＮＯ）、ユーザにより記録媒体種別が指定されていない場合（ステップＳ１４０：ＮＯ）、ユーザによりアプリケーションＸの格納パスが指定されていない場合（ステップＳ１５０：ＮＯ）、ユーザによりラベルデータの格納パスが指定されていない場合（ステップＳ１６０：ＮＯ）、ラベルフォームの格納パスが指定されていない場合（ステップＳ１７０：ＮＯ）、機種名、型式名、バージョン名が指定されていない場合（ステップＳ１７５）、及び、ユーザにより登録ボタン７６０が押されていない場合（ステップＳ１８０：ＮＯ）には、ステップＳ１４０の処理にリターンする。
【００８１】
Ａ２２．管理情報テーブル作成処理：
図６は、本実施例における管理情報テーブルＴＢを説明するための図である。
記録媒体作成処理（図２）において、管理サーバＭＳＶの管理情報処理部５１０は、上述の情報登録処理（ステップＳ１００）によりクライアントＣＬ１からアップロードされてくるアプリケーションＸ等を受け取ると、図６に示す管理情報テーブルＴＢを生成し、管理情報テーブル作成処理を行う（ステップＳ２００）。
【００８２】
この管理情報テーブルＴＢは、アプリケーションテーブルＴＢ１と、ラベルテーブルＴＢ２と、許可権限テーブルＴＢ３と、ステータステーブルＴＢ４の４つのテーブルに分けられる。アプリケーションテーブルＴＢ１には、記録媒体種別名と、アプリケーション格納パスと、バージョン名と、機種名と、型式名とが記載されるようになっている。ラベルテーブルＴＢ２には、ラベル格納パスと、ラベルフォーム格納パスとが記載されるようになっている。許可権限テーブルＴＢ３には、図２に示す記録媒体作成処理において、各クライアントが行うことが可能な処理の有無が記載されるようになっている。ステータステーブルＴＢ４は、後述するアプリケーションの状態（評価）を表わすステータス名が記載されるようになっている。なお、この管理情報テーブルＴＢは、各アプリケーションが管理サーバＭＳＶに格納（登録）されると、そのアプリケーションごとに生成される。
【００８３】
この管理情報テーブル作成処理において、管理情報処理部５１０は、クライアントＣＬ１からアップロードされてくる記録媒体種別情報、バージョン名、機種名、および型式名を取得し、取得した記録媒体種別情報が表わす記録媒体種別名、バージョン名、機種名、および型式名を、アプリケーションテーブルＴＢ１に記載する。また、管理情報処理部５１０は、アプリケーションＸをアプリケーション格納部６１０に格納した先を表わす格納パスをアプリケーションテーブルＴＢ１に記載する。このようにして、アプリケーションテーブルＴＢ１が作成される。
【００８４】
また、管理情報処理部５１０は、ラベルデータおよびラベルフォームをラベル情報格納部６２０に格納した先を表わす格納パスを、それぞれラベルテーブルＴＢ２に記載する。このようにして、ラベルテーブルＴＢ２が作成される。
【００８５】
さらに、管理情報処理部５１０は、管理サーバＭＳＶの管理者等の指示により、各クライアントＣＬが、後述する検索処理、後述するアプリケーション評価処理、後述するアプリケーション記録処理および後述するコンペア処理を実施できるかどうか有無を許可権限テーブルＴＢ３に記載する。本実施例では、図６に示すように、クライアントＣＬ１には、検索処理のみに実施権限が与えられ、クライアントＣＬ２には、検索処理およびアプリケーション評価処理に実施権限が与えられ、クライアントＣＬ３には、アプリケーション記録処理とコンペア処理に実施権限が与えられている。各クライアントＣＬは、実施権限の無い処理については、仮に処理移行ボタンが押されたとしても、処理移行ボタンに基づく処理に移行することができず、すなわち、その処理を実施することができない。なお、情報登録処理の実施権限については、予め管理サーバＭＳＶで決められていることとする。本実施例では、設計部門のクライアントＣＬ１のみが情報登録処理の実施権限がある。また、以下に説明する記録媒体作成処理（図２）のアプリケーション評価処理（ステップＳ３００）、アプリケーション記録処理（ステップＳ５００）およびコンペア処理（ステップＳ７００）において、処理を行う各クライアントＣＬに実施権限がある場合は、実施権限についての説明は省略する。
【００８６】
また、管理情報処理部５１０は、管理情報テーブルＴＢを生成した当初、すなわち、アプリケーションを格納（登録）した当初は、ステータステーブルＴＢ４におけるステータス名を「登録」と記載する。
【００８７】
以上のようにして、この管理情報テーブル作成処理において、管理情報処理部５１０は、管理情報テーブルＴＢを作成する。なお、管理情報テーブルＴＢのうち、ステータステーブルＴＢ４は、後述のアプリケーション評価処理において更新される。
【００８８】
Ａ２３．アプリケーション評価処理：
続いて、ＱＡ部門のクライアントＣＬ２は、アプリケーション評価処理（図２：ステップＳ３００）を行う。このアプリケーション評価処理において、クライアントＣＬ２は、ユーザからの指示に基づいて、管理サーバＭＳＶに格納されたアプリケーションＸを検索し、アプリケーションＸをダウンロードする。そして、クライアントＣＬ２は、ユーザのアプリケーションＸの評価を受け付け、その評価をステータスとしてステータステーブルＴＢ４に反映させる。以下に、図７を用いてこのアプリケーション評価処理について具体的に説明する。
【００８９】
図７は、本実施例におけるアプリケーション評価処理を表わすフローチャートである。
アプリケーション評価処理において、まず、クライアントＣＬ２の画像処理部２２０は、図３に示す情報処理画面Ｗの初期画面を表示ディスプレイ２３０に表示させる（ステップＳ３１０）。
【００９０】
図８は、本実施例における検索条件入力画面Ｗ２を説明する図である。
そして、ユーザによって、アプリ評価ボタン９００が押されると（ステップＳ３２０：ＹＥＳ）、画像処理部２２０は、図８に示すように、情報入力領域Ｗｂに検索条件を入力するための画面を表示させる（ステップＳ３３０）。なお、以下では、このように情報入力領域Ｗｂに検索条件の入力画面を表示させた情報処理画面Ｗを、特に、検索条件入力画面Ｗ２と呼ぶ。ユーザは、この検索条件入力画面Ｗ２において、機種名を選択するための機種名選択プルダウン８１０と、型式名を選択するための型式名選択プルダウン８２０と、バージョン名を選択するためのバージョン名選択プルダウン８３０と、ステータス名を選択するためのステータス名選択プルダウン８４０とから、検索したい情報のみを選択する。以下では、ユーザが選択した情報を検索条件情報と呼ぶ。本実施例では、図８が示すように、ユーザは、機種名：０８０８、ステータス名：登録として検索条件情報を選択したこととする。ユーザは、検索条件情報を選択すると、検索開始ボタン８５０を押して、検索条件情報に基づくアプリケーションをクライアントＣＬ２に検索をさせる。
【００９１】
一方、情報処理部２１０は、各選択プルダウン８１０，８２０，８３０，８４０において、検索条件情報が選択されて、検索開始ボタン８５０が押されると（ステップＳ３４０）、その検索条件情報に対応したアプリケーションを検索する（ステップＳ３５０）。具体的には、情報処理部２１０は、管理サーバＭＳＶの管理情報テーブル格納部６３０にアクセスし、格納された各アプリケーションに対応する管理情報テーブルの中から、選択された検索条件情報が記載された管理情報テーブルを探索し、探索の結果見つかったそれぞれの管理情報テーブルから各アプリケーションの機種名、型式名、バージョン名およびステータス名を取得する。例えば、本実施例では、図８に示すように、検索条件情報として、「機種名：０８０８」と「ステータス名：登録」が選択されているので、情報処理部２１０は、管理サーバＭＳＶの管理情報テーブル格納部６３０にアクセスし、アプリケーションテーブルに「機種名：０８０８」を持ち、ステータステーブルに「ステータス名：登録」を持つアプリケーションに対応する管理情報テーブルを探索し、探索の結果見つかったそれぞれの管理情報テーブルから各アプリケーションの機種名、型式名、バージョン名およびステータス名を取得する。
【００９２】
図９は、本実施例における検索結果画面Ｗ３を説明するための図である。
画像処理部２２０は、取得した各アプリケーションの機種名、型式名、バージョン名およびステータス名を検索条件入力画面Ｗ２（図８）の検索結果表示領域８６０に対応づけて記載し、図９に示すように、表示ディスプレイ２３０に検索結果画面Ｗ３として表示する。
【００９３】
一方、ユーザは、検索結果画面Ｗ３において、検索結果表示領域８６０に表示された各アプリケーションから、所望のアプリケーション（本実施例では、アプリケーションＸ）に対応するダウンロードボタン８７０を押して、そのアプリケーションおよびラベル情報（ラベルデータとラベルフォーム）をダウンロードする。
【００９４】
すなわち、情報処理部２１０は、アプリケーションＸに対応するダウンロードボタン８７０が押されると、アプリケーションＸのバージョン名を管理サーバＭＳＶに送信し、管理サーバＭＳＶに対して送信したバージョン名に対応するアプリケーションのダウンロードを要求する。管理サーバＭＳＶの管理情報処理部５１０は、バージョン名を受け取ると、まず、そのバージョン名が記載された管理情報テーブルＴＢ（アプリケーションテーブルＴＢ１）を探索する。そして、管理情報処理部５１０は、探索の結果見つけた管理情報テーブルＴＢにおいて、アプリケーションテーブルＴＢ１からアプリケーション格納バスを取得し、また、ラベルテーブルＴＢ２からラベルデータ格納パスおよびラベルフォーム格納パスを取得する。さらに、管理情報処理部５１０は、取得した各格納パスにあるアプリケーション、ラベルデータおよびラベルフォームを取得し、クライアントＣＬ２へ送信する。クライアントＣＬ２の情報処理部２１０は、管理サーバＭＳＶから送信されてくるアプリケーションＸおよびそのラベル情報（ラベルデータおよびラベルフォーム）を取得し、アプリケーション格納部２８５、ラベル情報格納部２８７にそれぞれ格納する（ステップＳ３７０）。その後、ユーザは、アプリケーション格納部２８５に格納されたアプリケーションＸおよびラベル情報の品質の検証作業を行う。
【００９５】
続いて、情報処理部２１０は、アプリケーションＸが選択されて、評価ボタン８７５が押されたかどうかを判断する（ステップＳ３８０）。
【００９６】
図１０は、本実施例における媒体評価画面Ｗ４を説明するための図である。
評価ボタン８７５が押されると（ステップＳ３８０：ＹＥＳ）、画像処理部２２０は、図１０に示すように、情報処理画面Ｗの情報入力領域Ｗｂにアプリケーションの評価を入力するための画面を表示させる（ステップＳ３９０）。なお、以下では、このように情報入力領域Ｗｂにアプリケーションの評価を入力する画面を表示させた情報処理画面Ｗを、特に、媒体評価画面Ｗ４と呼ぶ。この媒体評価画面Ｗ４において、ユーザは、ダウンロードしたアプリケーションＸの品質の検証結果に基づき、評価受付ボタン９１０、評価ＯＫボタン９１１、評価ＮＧボタン９１２、出荷ＯＫボタン９１３、および、出荷停止ボタン９１４の何れかのボタンを押す。ユーザは、例えば、アプリケーションＸの品質の検証を継続する場合には、評価受付ボタン９１０を押し、アプリケーションＸの評価が良く改善の必要がない場合等には、評価ＯＫボタン９１１を押し、アプリケーションＸの評価が悪く改善が必要な場合等には、評価ＮＧボタン９１２を押し、アプリケーションＸを出荷しても良い場合等には、出荷ＯＫボタン９１３を押し、アプリケーションＸの出荷を差し止めたい場合等には、出荷停止ボタン９１４を押す。このようにすれば、ユーザは、アプリケーションＸの評価することができる。
【００９７】
一方、情報処理部２１０は、ユーザにより評価受付ボタン９１０、評価ＯＫボタン９１１、評価ＮＧボタン９１２、出荷ＯＫボタン９１３および出荷停止ボタン９１４のうち、何れかのボタンが押された場合には（ステップＳ４００：ＹＥＳ）、その押されたボタンに基づいて、管理サーバＭＳＶにアクセスし、ステータステーブルＴＢ４のステータス名を書き換える。具体的には、情報処理部２１０は、ユーザにより評価受付ボタン９１０が押された場合には、管理サーバＭＳＶにアクセスし、ステータステーブルＴＢ４のステータス名を「評価受付」と書き換え、同様に、ユーザにより評価ＯＫボタン９１１が押された場合には、ステータステーブルＴＢ４のステータス名を「評価ＯＫ」と書き換え、評価ＮＧボタン９１２が押された場合には、ステータステーブルＴＢ４のステータス名を「評価ＮＧ」と書き換え、出荷ＯＫボタン９１３が押された場合には、ステータステーブルＴＢ４のステータス名を「出荷ＯＫ」と書き換え、出荷停止ボタン９１４が押された場合には、ステータステーブルＴＢ４のステータス名を「出荷停止」と書き換える。以下では、ユーザは、出荷ＯＫボタン９１３を押したこととする。
【００９８】
Ａ２４．アプリケーション記録処理：
続いて、作業部門のクライアントＣＬ３は、アプリケーション記録処理（図２：ステップＳ５００）を行う。このアプリケーション記録処理において、クライアントＣＬ３は、ユーザからの指示に基づいて、管理サーバＭＳＶに格納されたアプリケーションＸを検索し、アプリケーションＸをダウンロードする。そして、クライアントＣＬ３は、ダウンロードしたアプリケーションＸをＦＤに記録する。以下に、図１１を用いてこのアプリケーション記録処理について具体的に説明する。
【００９９】
図１１は、本実施例におけるアプリケーション記録処理を表わすフローチャートである。
アプリケーション記録処理において、まず、クライアントＣＬ３の画像処理部３２０は、図３に示す情報処理画面Ｗの初期画面を表示ディスプレイ３３０に表示させる（ステップＳ５１０）。
【０１００】
そして、ユーザによって、アプリ記録ボタン９３０が押されると（ステップＳ５２０：ＹＥＳ）、画像処理部３２０は、図８に示すように、表示ディスプレイ３３０に、検索条件入力画面Ｗ２を表示させる（ステップＳ５３０）。ユーザは、この検索条件入力画面Ｗ２において、機種名を選択するための機種名選択プルダウン８１０と、型式名を選択するための型式名選択プルダウン８２０と、バージョン名を選択するためのバージョン名選択プルダウン８３０と、ステータス名を選択するためのステータス名選択プルダウン８４０とから、検索したい情報のみを選択する。ここでは、ユーザは、「機種名：０８０８」として検索条件情報を選択したこととする。ユーザは、検索条件情報を選択すると、検索開始ボタン８５０を押して、検索条件情報に基づくアプリケーションをクライアントＣＬ３に検索をさせる。なお、ユーザによって、アプリ記録ボタン９３０が押されていない場合（ステップＳ５２０：ＮＯ）には、そのまま待機する。
【０１０１】
一方、クライアントＣＬ３の情報処理部３１０は、各選択プルダウン８１０，８２０，８３０，８４０において、検索条件情報が選択されて、検索開始ボタン８５０が押されると（ステップＳ５４０：ＹＥＳ）、その検索条件情報に対応したアプリケーションを検索する（ステップＳ５５０）。具体的には、情報処理部３１０は、管理サーバＭＳＶの管理情報テーブル格納部６３０にアクセスし、格納された各アプリケーションに対応する管理情報テーブルの中から、選択された検索条件情報が記載された管理情報テーブルを探索し、探索の結果見つかったそれぞれの管理情報テーブルから各アプリケーションの機種名、型式名、バージョン名およびステータス名を取得する。例えば、ここでは、検索条件情報として、機種名：０８０８が選択されているので、情報処理部３１０は、管理サーバＭＳＶの管理情報テーブル格納部６３０にアクセスし、アプリケーションテーブルに「機種名：０８０８」を持つアプリケーションに対応する管理情報テーブルを探索し、探索の結果見つかったそれぞれの管理情報テーブルから各アプリケーションの機種名、型式名、バージョン名およびステータス名を取得する。なお、ユーザによって、検索条件情報が選択されて、検索開始ボタン８５０が押されていない場合（ステップＳ５４０：ＮＯ）には、そのまま待機する。
【０１０２】
図１２は、本実施例における検索結果画面Ｗ５を説明するための図である。
画像処理部３２０は、取得した各アプリケーションの機種名、型式名、バージョン名およびステータス名を検索条件入力画面Ｗ２（図８）の検索結果表示領域８６０に対応づけて記載し、図１２に示すように、表示ディスプレイ３３０に検索結果画面Ｗ５として表示する（ステップＳ５６０）。なお、この場合、画像処理部３２０は、検索結果表示領域８６０の記録媒体作成処理欄において、取得したステータス名が「出荷ＯＫ」のアプリケーションのみ、媒体作成ボタン９４５を表示する。
【０１０３】
ユーザは、検索結果画面Ｗ５において、検索結果表示領域８６０の記録媒体作成処理欄に媒体作成ボタン９４５が表示された各アプリケーションから、ＦＤに記録したい所望のアプリケーション（本実施例では、アプリケーションＸ）を選択し、それに対応する媒体作成ボタン９４５を押す。
【０１０４】
図１３は、本実施例における媒体作成画面Ｗ６を説明するための図である。
一方、媒体作成ボタン９４５が押されると（ステップＳ５８０：ＹＥＳ）、画像処理部３２０は、図１３に示すように、情報処理画面Ｗの情報入力領域Ｗｂに、アプリケーションＸを記録したＦＤを作成するための情報を入力する画面を表示する（ステップＳ５９０）。なお、以下では、この情報処理画面Ｗを、特に、媒体作成画面Ｗ６と呼ぶ。また、この媒体作成画面Ｗ６には、取り消しボタン１１６０と、終了ボタン１１５０と、媒体作成ボタン１１００と、ラベル印字ボタン１１１０と、媒体・ラベルボタン１１２０と、記録媒体（ＦＤ）の作成数を選択可能な作成数選択プルダウン１１３０と、分割アプリケーション名を表示する分割アプリケーション選択領域１１８０とを備える。また、分割アプリケーション選択領域１１８０には、分割アプリケーションＸを選択するためのチェックボックス１１４０，全選択チェックボックス１１４１を備える。媒体作成ボタン９４５が押されていない場合（ステップＳ５８０：ＮＯ）には、そのまま待機する。
【０１０５】
ユーザは、媒体作成画面Ｗ６において、所望の分割アプリケーションＸを、チェックボックス１１４０をチェックすることで選択し、また、選択した分割アプリケーションＸを記録するＦＤの作成数を作成数選択プルダウン１１３０で選択する。そして、ユーザは、ＦＤをＦＤ挿入口３６１を介してＦＤ装置３６０に挿入し、媒体作成ボタン１１００またはラベル印字ボタン１１１０または媒体・ラベルボタン１１２０のうち、所望するボタンを押す。なお、ユーザは、分割アプリケーションＸをすべて選択する際には、全選択チェックボックス１１４１をチェックする。
【０１０６】
一方、情報処理部３１０は、ユーザによりチェックボックス１１４０または全選択チェックボックス１１４１がチェックされることにより分割アプリケーションＸが選択され、作成数選択プルダウン１１３０で作成数が選択されたかどうかを判断する（ステップＳ６００）。分割アプリケーションＸまたは作成数が選択されていない場合（ステップＳ６００：ＮＯ）には、そのまま待機する。
【０１０７】
そして、情報処理部３１０は、分割アプリケーションＸが選択され、かつ、作成数が選択された場合（ステップＳ６００：ＹＥＳ）には、さらに、媒体作成ボタン１１００、ラベル印字ボタン１１１０およびラベルボタン１１２０の何れかのボタンが押されたかどうかを判断する（ステップＳ６１０）。媒体作成ボタン１１００、ラベル印字ボタン１１１０およびラベルボタン１１２０の何れかのボタンが押されていない場合（ステップＳ６１０：ＮＯ）には、ステップＳ６００の処理にリターンする。
【０１０８】
情報処理部３１０が、媒体作成ボタン１１００が押されたと判断した場合（ステップＳ６１０：ＹＥＳ）には、続いて、媒体記録部３４０は、アプリケーションＸのうち、ユーザにより選択された分割アプリケーションＸを管理サーバＭＳＶからダウンロードして、アプリケーション格納部３８５に格納する。そして、媒体記録部３４０は、ＦＤ装置３６０を制御して、格納した分割アプリケーションＸをＦＤ装置３６０に挿入されたＦＤに記録させる（ステップＳ６２０）。
【０１０９】
また、情報処理部３１０が、ラベル印字ボタン１１１０が押されたと判断した場合（ステップＳ６１０：ＹＥＳ）には、続いて、媒体記録部３４０は、アプリケーションＸのラベル情報（ラベルデータおよびラベルフォーム）を管理サーバＭＳＶからダウンロードして、ラベル情報格納部３８７に格納する。そして、媒体記録部３４０は、ＦＤ装置３６０を制御して、格納したラベルデータとラベルフォームに基づいて、ＦＤ装置３６０に挿入されたＦＤの外面にラベルを印字させる（ステップＳ６２０）。
【０１１０】
さらに、情報処理部３１０が、媒体・ラベルボタン１１２０が押されたと判断した場合（ステップＳ６２０：ＹＥＳ）には、続いて、媒体記録部３４０は、アプリケーションＸのうち、ユーザにより選択された分割アプリケーションＸと、アプリケーションＸのラベル情報（ラベルデータおよびラベルフォーム）とを管理サーバＭＳＶからダウンロードして、アプリケーション格納部３８５、ラベル情報格納部３８７にそれぞれ格納する。そして、媒体記録部３４０は、ＦＤ装置３６０を制御して、格納した分割アプリケーションＸをＦＤ装置３６０に挿入されたＦＤに記録させ、さらには、ＦＤの外面にラベルを印字させる（ステップＳ６２０）。なお、以下では、分割アプリケーションＸを記録したＦＤを記録済ＦＤとも呼ぶ。
【０１１１】
Ａ２５．コンペア処理：
続いて、作業部門のクライアントＣＬ３は、コンペア処理（図２：ステップＳ７００）を行う。このコンペア処理において、クライアントＣＬ３は、ユーザからの指示に基づいて、管理サーバＭＳＶに格納されたアプリケーションＸを検索し、分割アプリケーションＸをダウンロードする。そして、クライアントＣＬ３は、ダウンロードした分割アプリケーションＸと、記録済ＦＤに記録された分割アプリケーションＸとを比較して、記録済ＦＤに異常がないかどうかを検討する。なお、このようにダウンロードした分割アプリケーションＸと、記録済ＦＤとを比較して、記録済ＦＤに異常がないかどうかを検討することを、以下では単にコンペアとも呼ぶ。それでは、図１４を用いてこのコンペア処理について具体的に説明する。
【０１１２】
図１４は、本実施例におけるコンペア処理を表わすフローチャートである。
コンペア処理において、まず、クライアントＣＬ３の画像処理部３２０は、図３に示す情報処理画面Ｗの初期画面を表示ディスプレイ３３０に表示させる（ステップＳ７１０）。
【０１１３】
そして、ユーザによって、コンペアボタン９５０が押されると（ステップＳ７２０：ＹＥＳ）、画像処理部３２０は、図８に示すように、表示ディスプレイ３３０に、検索条件入力画面Ｗ２を表示させる（ステップＳ７３０）。ユーザは、この検索条件入力画面Ｗ２において、機種名を選択するための機種名選択プルダウン８１０と、型式名を選択するための型式名選択プルダウン８２０と、バージョン名を選択するためのバージョン名選択プルダウン８３０と、ステータス名を選択するためのステータス名選択プルダウン８４０とから、検索したい情報のみを選択する。ここでは、ユーザは、機種名：０８０８として検索条件情報を選択したこととする。ユーザは、検索条件情報を選択すると、検索開始ボタン８５０を押して、検索条件情報に基づくアプリケーションをクライアントＣＬ３に検索をさせる。なお、ユーザによって、コンペアボタン９５０が押されていない場合（ステップＳ７２０：ＮＯ）には、そのまま待機する。
【０１１４】
一方、クライアントＣＬ３の情報処理部３１０は、各選択プルダウン８１０，８２０，８３０，８４０において、検索条件情報が選択されて、検索開始ボタン８５０が押されると（ステップＳ７４０：ＹＥＳ）、その検索条件情報に対応したアプリケーションを検索する（ステップＳ７５０）。具体的には、情報処理部３１０は、管理サーバＭＳＶの管理情報テーブル格納部６３０にアクセスし、格納された各アプリケーションに対応する管理情報テーブルの中から、選択された検索条件情報が記載された管理情報テーブルを探索し、探索の結果見つかったそれぞれの管理情報テーブルから各アプリケーションの機種名、型式名、バージョン名およびステータス名を取得する。例えば、ここでは、検索条件情報として、「機種名：０８０８」が選択されているので、情報処理部３１０は、管理サーバＭＳＶの管理情報テーブル格納部６３０にアクセスし、アプリケーションテーブルに「機種名：０８０８」を持つアプリケーションに対応する管理情報テーブルを探索し、探索の結果見つかったそれぞれの管理情報テーブルから各アプリケーションの機種名、型式名、バージョン名およびステータス名を取得する。なお、ユーザによって、検索条件情報が選択されて、検索開始ボタン８５０が押されていない場合（ステップＳ７４０：ＮＯ）には、そのまま待機する。
【０１１５】
図１５は、本実施例における検索結果画面Ｗ７を説明するための図である。
画像処理部３２０は、取得した各アプリケーションの機種名、型式名、バージョン名およびステータス名を検索条件入力画面Ｗ２（図８）の検索結果表示領域８６０に対応づけて記載し、図１５に示すように、表示ディスプレイ３３０に検索結果画面Ｗ７として表示する（ステップＳ７６０）。なお、この場合、画像処理部３２０は、検索結果表示領域８６０のコンペア処理欄において、取得したステータス名が「出荷ＯＫ」のアプリケーションのみ、コンペアボタン９６０を表示する。
【０１１６】
ユーザは、検索結果画面Ｗ７において、検索結果表示領域８６０のコンペア欄にコンペアボタン９６０が表示された各アプリケーションから、コンペアを行いたいアプリケーション（本実施例では、アプリケーションＸ）を選択し、それに対応するコンペアボタン９６０を押す。
【０１１７】
図１６は、本実施例におけるコンペア画面Ｗ８を説明するための図である。
一方、コンペアボタン９６０が押されると（ステップＳ７７０：ＹＥＳ）、画像処理部３２０は、図１６に示すように、情報処理画面Ｗの情報入力領域Ｗｂに、コンペアを行うための画面を表示する（ステップＳ７９０）。なお、以下では、この情報処理画面Ｗを、特に、コンペア画面Ｗ８と呼ぶ。このコンペア画面Ｗ８は、コンペアボタン１２１０と、終了ボタン１２３０と、分割アプリケーション名とコンペアボタン１２１０とが対応づけられて表わされるコンペア選択領域１２５５とを備える。コンペアボタン９６０が押されていない場合（ステップＳ７７０：ＮＯ）には、そのまま待機する。
【０１１８】
ユーザは、コンペア画面Ｗ８において、コンペアを行うために記録済ＦＤをＦＤドライブ３６５に挿入し、さらに、このコンペア画面Ｗ８のコンペア選択領域１２５５において、記録済ＦＤに記録された分割アプリケーションＸに対応するコンペアボタン１２１０を押す。
【０１１９】
一方、情報処理部３１０は、ＦＤドライブ３６５にアプリケーションＸ（分割アプリケーションＸ）が記録されたＦＤが挿入されているかどうかを判断する（ステップＳ７９０）。情報処理部３１０は、挿入されていない場合（ステップＳ７９０：ＮＯ）には、そのまま待機する。
【０１２０】
情報処理部３１０は、ＦＤドライブ３６５にアプリケーションＸ（分割アプリケーションＸ）が記録されたＦＤが挿入されている場合（ステップＳ７９０：ＹＥＳ）には、さらに、ユーザによりコンペアボタン１２１０が押されたかどうかを判断する（ステップＳ８００）。情報処理部３１０は、コンペアボタン１２１０が押されていない場合（ステップＳ８００：ＮＯ）には、ステップＳ７９０の処理にリターンする。
【０１２１】
情報処理部３１０は、ユーザによりコンペアボタン１２１０が押された場合（ステップＳ８００：ＹＥＳ）には、コンペアを行う（ステップＳ８１０）。具体的には、情報処理部３１０は、コンペアボタン１２１０が押されると、そのコンペアボタン１２１０に対応する分割アプリケーションＸを管理サーバＭＳＶからダウンロードし、アプリケーション格納部３８５に格納する。また、情報処理部３１０は、ＦＤドライブ３６５に挿入された記録済ＦＤから分割アプリケーションＸを読み出す。そして、情報処理部３１０は、ダウンロードした分割アプリケーションＸと、読み出した分割アプリケーションＸとを比較する。
【０１２２】
続いて、情報処理部３１０は、図１６に示すように、コンペア（比較）の結果を、コンペア選択領域１２５５において、対応するコンペアボタン１２１０の左側領域に表示する（ステップＳ８２０）。具体的には、情報処理部３１０は、ダウンロードした分割アプリケーションＸと、読み出した分割アプリケーションＸとが一致した場合には、「一致」と表示し、ダウンロードした分割アプリケーションＸと、読み出した分割アプリケーションＸとが一致しない場合には、「不一致」と表示する。
【０１２３】
なお、ユーザは、アプリケーションＸのうちの、一つの分割アプリケーションＸを記録した記録済ＦＤのコンペアが終わると、それをＦＤドライブ３６５から取り出し、他の分割アプリケーションＸの記録済ＦＤをＦＤドライブ３６５に挿入し、対応するコンペアボタン１２１０を押す。一方、情報処理部３１０は、ユーザにより新たにＦＤドライブ３６５に記録済ＦＤが挿入されると、再度、ステップＳ７９０〜ステップＳ８１０の処理を行う。このようにして、アプリケーションＸを記録した各記録済ＦＤのコンペアを行う。
【０１２４】
その後、作業部門のユーザは、上述したコンペア処理の結果、分割アプリケーションＸのそれぞれが一致した場合には、それらをアプリケーションＸとして、出荷する。
【０１２５】
ところで、クライアントＣＬ１〜ＣＬ３は、許可権限テーブルＴＢ３（図６）において、検索処理を実施可能となっているので、図３に示す情報処理画面Ｗの初期画面の状態から、ユーザにより検索ボタン８００が押されれば、検索処理に移行することができる。例えば、クライアントＣＬ１がこの検索処理を行う場合に、まず、クライアントＣＬ１の画像処理部１２０は、表示ディスプレイ１３０に、図８に示すごとく検索条件入力画面Ｗ２を表示し、さらに、ユーザにより検索条件情報が入力されると、その検索条件情報に基づいて、ダウンロードボタン８７０と評価ボタン８７５を除いた図９のごとく検索結果画面Ｗ３を表示する。このようにすれば、ユーザは、所望のアプリケーションを検索することができる。
【０１２６】
以上のように、上記実施例の記録媒体作成システム１０００において、アプリケーションＸは、情報登録処理（図４）において、管理サーバＭＳＶに登録されているので、各クライアントＣＬは、実施権限（図６：許可権限テーブルＴＢ３参照）があれば必要な時にアプリケーションＸをダウンロードできるようになっている。例えば、ＱＡ部門のクライアントＣＬ２は、アプリケーション評価処理（図７）で、アプリケーションＸの評価のために、アプリケーションＸを管理サーバＭＳＶからダウンロードすることにより取得している。このようにすれば、従来技術のように、アプリケーションＸを記録したＦＤを、アプリケーションＸが必要な部門で管理・保管する必要がないので、アプリケーションＸを記録したＦＤの管理・保管にかかるコストを削減することができる。
【０１２７】
上記実施例では、アプリケーション記録処理（図１１）において、クライアントＣＬ３は、表示ディスプレイ３３０に媒体作成画面Ｗ６を表示させ、これを介してユーザの指示を受け付けるようにしている。そして、クライアントＣＬ３の媒体記録部３４０は、ユーザからの指示があれば、すなわち、ユーザによって媒体作成ボタン１１００や媒体・ラベルボタン１１２０が押されれば、アプリケーションＸを管理サーバＭＳＶからダウンロードし、それをＦＤ装置３６０に送信して、さらに、ＦＤ装置３６０を制御して、ＦＤにアプリケーションＸを記録する。言い換えれば、ユーザは、ＦＤ装置３６０にＦＤを挿入し、媒体作成画面Ｗ６で、媒体作成ボタン１１００や媒体・ラベルボタン１１２０を押せば、クライアントＣＬ３によって自動的にアプリケーションＸを記録したＦＤを作成することができる。
【０１２８】
上記実施例では、アプリケーション評価処理（図７）において、クライアントＣＬ２は、アプリケーションＸの評価を、ステータステーブルＴＢ４に反映している。そして、アプリケーション記録処理（図１１）において、クライアントＣＬ３は、ステータステーブルＴＢ４に基づいて、アプリケーションＸの評価が「出荷ＯＫ」のアプリケーションのみ媒体作成ボタン９４５（図１２の検索結果画面Ｗ５）を表示するようにしている（図１１：ステップＳ５６０）。このようにすれば、ユーザは、ステータステーブルＴＢ４におけるステータスが「出荷ＯＫ」のアプリケーションのみを選択することができ、それをクライアントＣＬ３においてＦＤに記録することができる。言い換えれば、ユーザは、出荷がＯＫでない（必要でない）アプリケーションをクライアントＣＬ３においてＦＤに記録することを抑制することができる。
【０１２９】
上記実施例では、記録媒体作成処理（図２）の各処理において、実施権限があるクライアントＣＬのみ、各処理を実施することができるようになっている。このようにすれば、例えば、アプリケーション評価処理（図７）に対して実施権限があるクライアントＣＬ（本実施例では、ＱＡ部門のクライアントＣＬ２）のみステータステーブルＴＢ４のステータスを更新することができるので、このステータスは、信頼性の高い適切な情報に保たれる。また、このようにすれば、例えば、検索処理に対して実施権限のないクライアントＣＬ（本実施例では、なし）は、検索処理を行うことができないので、各アプリケーションの情報が漏洩することを防止することができる。
【０１３０】
上記実施例では、コンペア処理（図１４）において、クライアントＣＬ３は、記録済ＦＤに記録されたアプリケーションＸと、管理サーバＭＳＶに登録され、アプリケーション格納部６１０に格納されているアプリケーションＸとを比較し、それらが一致するかどうかを検証するようにしている。このようにすれば、ＦＤに記録されたアプリケーションＸが適切かどうかを確認することができる。その結果、適切なアプリケーションＸが記録されたＦＤのみを出荷することができる。
【０１３１】
上記実施例では、情報登録処理（図４）において、クライアントＣＬ１は、アプリケーションＸのラベル情報を管理サーバＭＳＶに登録し、アプリケーション記録処理（図１１）において、クライアントＣＬ３は、媒体作成画面Ｗ６（図１３）でラベルボタン１１２０が押されれば、アプリケーションＸをＦＤに記録すると共に、アプリケーションＸのラベル情報を、アプリケーションＸを記録したＦＤに記載する。このようにすれば、ユーザは、ラベルボタン１１２０を１回押すだけで、ＦＤにアプリケーションＸを共に、そのＦＤにラベル情報を記載することができる。従って、情報処理画面Ｗを介しての煩雑な操作を減少させることができる。
【０１３２】
Ｂ．変形例：
なお、本発明では、上記した実施の形態に限られるものではなく、その要旨を逸脱しない範囲において種々の態様にて実施することが可能である。
【０１３３】
Ｂ１．
上記実施例では、作業部門のクライアントＣＬ３のみＦＤ装置と接続されているが、本発明はこれに限られるものではない。例えば、クライアントＣＬ１またはクライアントＣＬ２がＦＤ装置と接続されていてもよい。このようにすれば、例えば、クライアントＣＬ２がＦＤ装置と接続される場合には、アプリケーション評価処理でダウンロードしたアプリケーションＸをＦＤに記録することができる。すなわち、所定のクライアントＣＬがＦＤ装置と接続されていれば、そのクライアントＣＬが属する部門において、アプリケーションＸを記録したＦＤが必要な時に、それを作成することができるので、予めアプリケーションＸを記録したＦＤを管理・保管する必要がない。その結果、アプリケーションＸを記録したＦＤの管理・保管にかかるコストを削減することができる。
【０１３４】
Ｂ２．
上記実施例において、ＦＤ装置３６０は、クライアントＣＬ３と接続されているが、本発明はこれに限られるものではない。例えば、ＦＤ装置３６０をローカルエリアネットワークＬＡＮに直接設置するようにしてもよい。このようにすれば、例えば、クライアントＣＬ３は、アプリケーションＸをダウンロードすることなく、アプリケーションＸを管理サーバＭＳＶからＦＤ装置に直接送信することで、ＦＤに記録することができる。また、このようにすれば、ＦＤ装置が共有することができるので、ＦＤ装置を設置するコストを抑制することができる。
【０１３５】
Ｂ３．
上記実施例において、クライアントＣＬ３には、記録装置としてのＦＤ装置３６０のみが接続されているが、本発明はこれに限られるものではない。例えば、クライアントＣＬ３には、記録装置としてのＣＤ―ＲドライブやＤＶＤ−Ｒドライブ等が接続されていてもよい。このようにすれば、アプリケーションＸを接続される記録装置にてＣＤ−ＲやＤＶＤ−Ｒ等に記録することができる。
【０１３６】
Ｂ４．
上記実施例の記録媒体作成システム１０００は、アプリケーションＸを所定の記録媒体（ＦＤ）に記録し、記録媒体を作成するようにしているが、本発明はこれに限られるものではない。例えば、記録媒体（ＦＤ）に記録するのは、アプリケーションではなく、所定の文字情報（文書情報）や所定のキャラクタなどを表わしたデザイン情報でもよい。
【０１３７】
Ｂ５．
上記実施例の記録媒体作成システム１０００は、アプリ記録ボタン９３０を押すことによりアプリケーション記録処理（図１１）を実行し、アプリケーションＸを記録した記録媒体（ＦＤ）を作成するようにしているが、本発明はこれに限られるものではない。例えば、アプリケーション評価処理（図７）において、管理サーバＭＳＶにアクセスし、ステータステーブルＴＢ４のステータス名を「出荷ＯＫ」に書き換えると（ステップＳ４１０）、管理サーバＭＳＶの管理情報処理部５１０が自動的にクライアントＣＬ３に指示して、アプリケーションＸをＦＤに記録するようにしてもよい。このようにすれば、ユーザは、アプリケーションＸの評価を行うだけで、アプリケーションＸの記録したＦＤを作成することができる。
【０１３８】
Ｂ６．
上記実施例の記録媒体作成システム１０００は、アプリケーション記録処理（図１１）において、ラベル情報をＦＤに記載する際には、ＦＤの表面に印字を行うようにしているが、本発明はこれに限られるものではない。ラベル情報をＦＤに記載する際には、例えば、ラベル情報をまずシールに印字し、そのシールをラベルとして、ＦＤの表面に貼り付けるようにしてもよい。
【０１３９】
Ｂ７．
上記実施例において、各クライアントＣＬおよび管理サーバＭＳＶの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【０１４０】
【図１】本発明の本実施例における記録媒体作成システム１０００の概略構成図である。
【図２】本実施例における記録媒体作成システム１０００が行う記録媒体作成処理を示すフローチャートである。
【図３】本実施例における情報処理画面Ｗの初期画面を示す図である。
【図４】本実施例におけるクライアントＣＬ１が行う情報登録処理を表わすフローチャートである。
【図５】本実施例におけるクライアントＣＬ１が情報登録処理を行う際の情報登録画面Ｗ１を表わす図である。
【図６】本実施例における管理情報テーブルＴＢを説明するための図である。
【図７】本実施例におけるアプリケーション評価処理を表わすフローチャートである。
【図８】本実施例における検索条件入力画面Ｗ２を説明する図である。
【図９】本実施例における検索結果画面Ｗ３を説明するための図である。
【図１０】本実施例における媒体評価画面Ｗ４を説明するための図である。
【図１１】本実施例におけるアプリケーション記録処理を表わすフローチャートである。
【図１２】本実施例における検索結果画面Ｗ５を説明するための図である。
【図１３】本実施例における媒体作成画面Ｗ６を説明するための図である。
【図１４】本実施例におけるコンペア処理を表わすフローチャートである。
【図１５】本実施例における検索結果画面Ｗ７を説明するための図である。
【図１６】本実施例におけるコンペア画面Ｗ８を説明するための図である。
【符号の説明】
【０１４１】
１０００...記録媒体作成システム
１１０...情報処理部
１２０...画像処理部
１３０...表示ディスプレイ
１７０...メモリ
１８０...メモリ
１８５，１８７...格納部
１８５...アプリケーション格納部
１８７...ラベル情報格納部
２１０...情報処理部
２２０...画像処理部
２３０...媒体記録部
２８０...メモリ
２３０...表示ディスプレイ
２７０...メモリ
２８５...アプリケーション格納部
２８７...ラベル情報格納部
３１０...情報処理部
３２０...画像処理部
３３０...表示ディスプレイ
３４０...媒体記録部
３６５...フレキシブルディスクドライブ
３７０...メモリ
３８０...メモリ
３８５...アプリケーション格納部
３８７...ラベル情報格納部
５１０...管理情報処理部
５５０...メモリ
６００...メモリ
６１０...アプリケーション格納部
６２０...ラベル情報格納部
６３０...管理情報テーブル格納部
７００...情報登録ボタン
８００...検索ボタン
９００...アプリ評価ボタン
９３０...アプリ記録ボタン
９５０...コンペアボタン
【図１】
2006209290.tif 000003
【図２】
2006209290.tif 000004
【図３】
2006209290.tif 000005
【図４】
2006209290.tif 000006
【図５】
2006209290.tif 000007
【図６】
2006209290.tif 000008
【図７】
2006209290.tif 000009
【図８】
2006209290.tif 000010
【図９】
2006209290.tif 000011
【図１０】
2006209290.tif 000012
【図１１】
2006209290.tif 000013
【図１２】
2006209290.tif 000014
【図１３】
2006209290.tif 000015
【図１４】
2006209290.tif 000016
【図１５】
2006209290.tif 000017
【図１６】
2006209290.tif 000018